(57)【要約】【課題】  耐衝撃性に優れた、モバイル製品に好適な光ピックアップ装置を提供することを目的とする。【解決手段】  光ピックアップ装置において、光ビームを発生する光源と、情報を記録再生するための光ディスクに前記光ビームを照射するための対物レンズと、前記光源と前記対物レンズ間の光路に配設された、回動可能な光学素子と、前記光学素子を回転可能に支持する支軸と、前記光学素子を回転駆動する駆動機構とを備え、前記光学素子はそれの重心が前記支軸に一致するように前記支軸に取り付けられている光ピックアップ装置。【選択図】図１
2006338841.tif 000002
【特許請求の範囲】
【請求項１】
光ピックアップ装置において、
光ビームを発生する光源と、
情報を記録再生するための光ディスクに前記光ビームを照射するための対物レンズと、
前記光源と前記対物レンズ間の光路に配設された、回動可能な光学素子と、
前記光学素子を回転可能に支持する支軸と、
前記光学素子を回転駆動する駆動機構とを備え、
前記光学素子はそれの重心が前記支軸に一致するように前記支軸に取り付けられていることを特徴とする光ピックアップ装置。
【請求項２】
前記光学素子は、前記光ビームの透過率を変えるための透過光減衰光学素子であることを特徴とする請求項１記載の光ピックアップ装置。
【請求項３】
前記光学素子は、前記光ビームに発生している球面収差量を変えるための球面収差補正素子であることを特徴とする請求項１記載の光ピックアップ装置。
【請求項４】
前記支軸は前記駆動機構の回転軸と一体的であることを特徴とする請求項１記載の光ピックアップ装置。
【請求項５】
前記回転軸は前記光路と平行に配置されていることを特徴とする請求項１記載の光ピックアップ装置。
【請求項６】
前記支軸は前記光源を保持する光学ベースに固定されていることを特徴とする請求項１記載の光ピックアップ装置。
【発明の詳細な説明】
【技術分野】
【０００１】
本発明は、光ビームを利用して光ディスクに信号を記録し、または光ディスクに記録された信号を再生する光ディスク装置で再生時に低雑音で良好な状態を実現するものであり、特にモバイル装置に好適な光ピックアップを実現するものである。
【背景技術】
【０００２】
近年、ディジタルバーサタイルディスク（以降、ＤＶＤと称す）は、大容量のディジタル情報が記録可能な高密度光ディスクとして広く利用されてきている。同時にビデオカメラにおいてはテープに代わる記録媒体としてＤＶＤを採用した製品が注目されている。しかし情報の大容量化に伴い、より高密度の光ディスクの実現が求められている。ここで、ＤＶＤよりも高密度な記録を達成するには、記録層上にＤＶＤよりも小さなマークを記録する必要があり、その為には光源の波長を短く、対物レンズの開口数（以降、ＮＡと称す）を大きくすることが必要となる。例えば、ＤＶＤでは光源に波長６６０ｎｍのレーザを用い、対物レンズにＮＡ０．６のレンズを用いているが、光源として波長４０５ｎｍの青色レーザを用い、ＮＡ０．８５の対物レンズを用いることで、ＤＶＤの約５倍の記録容量が達成できる。ＤＶＤを使用したビデオカメラ同様、上記、高密度記録媒体と青色レーザを使用したビデオカメラも当然、次の世代のビデオカメラとして注目を浴び始めた状況である。さらに、近年の青色レーザの高出力化により、１層の記録層を持ついわゆる１層ディスクよりもさらに高い記録容量を得るために、複数の記録層を持つ多層ディスクの開発も行われている。例えば、２層の記録層を持つディスクが実現されれば、記憶容量はＤＶＤの約１０倍になる。これらの高密度光ディスク装置においては、再生時の各種ストレスマージンがＤＶＤに比べ厳しいため、光源である青色レーザの量子化雑音が問題となる。この量子化雑音は、光源である半導体レーザの特性上、出力レーザパワーを高くすると低く抑えられるが、出力レーザパワーを高くすると、記録層へ収束照射されるレーザのパワー（以降、照射パワーと称す）は増大し、記録層の劣化やデータの消去を引き起こす。そのために照射パワーを低く抑えることで記録層の劣化やデータの消去を防止すると同時に、出力パワーを高くして半導体レーザの量子化雑音を抑えることが必要になる。
【０００３】
この課題に対処するために特開２００３−２５７０７２号公報では光ビームを発生する光源と、光源により光ディスクに照射される光ビームのパワーを検出する照射パワー検出手段と、照射パワー検出手段の出力が所定の値になるように光源を駆動する光ビームパワー制御手段と、光源から光ディスクに到達する間で光ビームのパワーを減衰あるいは増幅させることができるパワー増減手段と、パワー増減手段で光ビームのパワーが増減したことを検出する増減検出手段とを備えた光ディスク装置が提案されている。この提案について公報記載の図を用いて説明する。
【０００４】
図５は光ディスク装置の構成を示すブロック図である。図５において、光源１０１はＧａＮ系の青色発光の半導体レーザ素子で、光ディスク１０８の記録層に対し、記録再生用のコヒーレント光を出力する光源であり、光源駆動部１１５からの信号により所定の光量の光ビームを出力する。光ビーム減衰光学素子１０２は、光学フィルタであり、光学素子駆動部１１６からの信号によって機械的に出し入れされる光学素子である。偏光ビームスプリッタ１０３は、光源１０１から出射される直線偏光を１００％透過し、光源１０１から出射される直線偏光と直交する方向の直線偏光を１００％反射する光学素子である。
【０００５】
コリメータレンズ１０４は、光源１０１から出射された発散光を平行光に変換するレンズである。１／４波長板１０５は、透過する光の偏光を円偏光から直線偏光に、もしくは直線偏光から円偏光に変換する光学素子である。ハーフミラー１０６は、入射する光を反射および透過する光学素子であり、光ビームの９０％を反射し、１０％を透過する。対物レンズ１０７は、光ディスク１０８の記録層に光ビームを集光するレンズである。
【０００６】
第１の集光レンズ１０９は、ハーフミラー１０６を透過した光ビームを第１のディテクタ１１０に集光するレンズである。第２の集光レンズ１１１は、光ディスク１０８で反射された光ビームを第２のディテクタ１１２に集光するレンズである。第１、第２のディテクタ１１０、１１２は、受光した光を電気信号に変換する素子である。反射率検出部１１３は、第２のディテクタからの全出力信号に基づいて光ディスクの判別をする要素である。マイクロコンピュータ（以降、マイコンと称す）１１４は、光ディスク装置を制御する要素である。
【０００７】
以上のように構成された光ディスク装置の動作について、図５を用いて説明する。光源１０１から出射された直線偏光は、光ビーム減衰光学素子１０２に入射する。光ディスク１０８が１層ディスクである場合、光学素子駆動部１１６からの信号により、光ビーム減衰光学素子１０２は、機械的に光路中に挿入され、光量が約半分となった光ビームが透過する。一方、光ディスク１０８が２層ディスクである場合、光ビーム減衰光学素子１０２は機械的に光路中から出され、光ビームは光量を下げることなく透過する。光ビーム減衰光学素子１０２を透過した光ビームは、偏光ビームスプリッタ１０３に入射される。
【０００８】
また、偏光ビームスプリッタ１０３を透過した光ビームはコリメータレンズ１０４に入射され、コリメータレンズ１０４によって平行光にされる。コリメータレンズ１０４を透過した光ビームは、１／４波長板１０５で円偏光にされ、ハーフミラー１０６で約９０％の光量の光ビームが反射され、約１０％の光量の光ビームがハーフミラー１０６を透過する。ハーフミラー１０６で反射された光ビームは、対物レンズ１０７に入射され、光ディスク１０８上に収束照射される。ハーフミラー１０６を透過した光ビームは、第１の集光レンズ１０９に入射され、第１のディテクタ１１０に入射される。第１のディテクタ１１０に入射された光ビームは電気信号に変換される。従って、第１のディテクタ１１０の出力は、光源１０１から出射された光ビームの光量をモニタする電気信号となる。マイコン１１４は、第１のディテクタ１１０の出力に基づいて光源１０１が所定の光量を出力するように光量制御信号を出力する。マイコン１１４から出力された光量制御信号は光源駆動部１１５に入力され、光源１０１は所定の光量を出力するよう制御される。
【０００９】
次に、光ディスク１０８から反射された光ビームは、対物レンズ１０７を透過し、ハーフミラー１０６で反射され、１／４波長板１０５を透過し、光源１０１から出射される光ビームとは直交する直線偏光にされ、コリメータレンズ１０４を透過し、偏光ビームスプリッタ１０３により反射される。偏光ビームスプリッタ１０３で反射された光ビームは、第２の集光レンズ１１１により集光され、第２のディテクタ１１２に入射される。第２のディテクタ１１２に入射された光ビームは電気信号に変換され、反射率検出部１１３とＦＥ信号生成部１１７とＴＥ信号生成部１２１と再生ジッタ検出部１２５に出力される。
【００１０】
再生ジッタ検出部１２５は、第２のディテクタ１１２からの信号に基づいて、再生信号のジッタを検出し、マイコン１１４に出力する。また反射率検出部１１３は、第２のディテクタ１１２からの全出力信号に基づいて、光ディスク１０８の種類を判別し、判別の結果に応じた信号をマイコン１１４に出力する。マイコン１１４は、反射率検出部１１３から出力された信号に基づいて、光ディスク１０８が１層ディスクであるか２層ディスクであるかを判別し、光学素子駆動部１１６に光学素子駆動信号を出力する。光学素子駆動部１１６に入力された光学素子駆動信号は、増幅されて、光ビーム減衰光学素子１０２を光路から機械的に出し入れをする。
【００１１】
次に、光ビーム減衰光学素子１０２の構成について図６を用いて詳細に説明する。図６は光ビーム減衰光学素子１０２の構成とその動作による透過率変化を示す模式図である。（ａ）は、一定の透過率をもつ光ビーム減衰光学素子１０２を光路中に出し入れする構成の模式図である。光ビーム減衰光学素子１０２は光ビームに対し垂直な方向に光学素子駆動部１１６に入力された光学素子駆動信号に応じて移動する。
【００１２】
この場合、例えば光ビーム減衰光学素子１０２の透過率を５０％とすると、透過率の切り替えは、光ビーム減衰光学素子１０２を出し入れすることにより、２状態の切り替えが可能となる。即ち、光ビーム減衰光学素子１０２を光路中から出した場合の透過率１００％の状態と、光ビーム減衰光学素子１０２を光路中に挿入した場合の透過率５０％の２状態である。
【００１３】
一方（ｂ）は、複数の透過率をもつ光ビーム減衰光学素子１０２の位置を透過する光ビームに対して変化させる構成の模式図である。例えば、（ｂ）に示すようにその位置に応じて１００％、７５％、５０％と３値の透過率になるような構成である。
【００１４】
なお、同様な構成として、特開平０８−２１２５８３号公報に示されているように、ＣＤとＤＶＤのような表面から記録層までの距離が異なる光ディスク同士を切換える際に、発生する球面収差を補正するために、球面収差補正素子を光路へ出し入れを行う光ピックアップ装置も知られている。
【特許文献１】特開２００３−２５７０７２号公報
【特許文献２】特開平０８−２１２５８３号公報
【発明の開示】
【発明が解決しようとする課題】
【００１５】
ところが特許文献１及び特許文献２のような場合、以下のような問題がある。
【００１６】
ビデオカメラのようなモバイル用途の製品に光ビーム減衰光学素子や球面収差補正素子を採用した場合、上記従来例のように光路に平行移動で出し入れする構成では、光学素子の移動方向に対する衝撃に対して弱く、衝撃が加わると素子が移動してしまうという問題がある。その場合、例えば光ビーム減衰光学素子が光路中に置かれ、強い光ビームパワー再生していた場合には、光学素子が光路から外れることにより瞬間的に光ディスクに強い光ビームパワーが照射され、記録層の劣化あるいはデータの消去を引き起こしてしまう。
【００１７】
そこで、本発明の目的は、耐衝撃性に優れた、モバイル製品に好適な光ピックアップ装置を提供することにある。
【課題を解決するための手段】
【００１８】
上記課題を解決するめに、本発明は以下の光ピックアップ装置を提供する。
【００１９】
光ピックアップ装置において、光ビームを発生する光源と、情報を記録再生するための光ディスクに前記光ビームを照射するための対物レンズと、前記光源と前記対物レンズ間の光路に配設された、回動可能な光学素子と、前記光学素子を回転可能に支持する支軸と、前記光学素子を回転駆動する駆動機構とを備え、前記光学素子はそれの重心が前記支軸に一致するように前記支軸に取り付けられている光ピックアップ装置。
【発明の効果】
【００２０】
本発明の光ピックアップ装置によれば、光学素子を光路に対して回動可能に配設し、光学素子の重心を回転支軸と一致させる構成としている。それにより、振動や衝撃が加わっても光学素子に回転モーメントが発生することがなく、光学素子の不要な移動を抑制することが可能となる。その結果、耐衝撃性に優れ、モバイル製品に好適な光ピックアップ装置を提供することができる。
【発明を実施するための最良の形態】
【００２１】
（実施例１）
以下、本発明に係る光ピックアップ装置を、図面を参照して詳細に説明する。
【００２２】
図１に本発明に係る光ピックアップのブロック図を示す。図１において、光学ベース（図示せず）に固定されている光源１はＧａＮ系の青色発光の半導体レーザ素子で、光ディスク１１の記録層に対し、記録再生用のコヒーレント光を出力する光源であり、光源駆動部２０からの信号により所定の光量の光ビームを出力する。透過光量を調整する光ビーム減衰光学素子２は、一般的にＮＤフィルタと呼ばれる光学フィルタであり、光学素子駆動源２２の回転軸（支軸）に一体的に固定されている。この光学素子駆動源２２は光学素子駆動部２１からの信号によって駆動される。
【００２３】
半導体レーザ１からの光ビームは、回折格子３でメインビームと２つのサブビームに分離させられる。このサブビームは、ＤＰＰ（ディファレンシャルプッシュプル）用のサーボ用信号生成に利用される。
【００２４】
回折格子３からのビームは、一部ＰＢＳ４で反射させられ集光レンズ５によりモニタフォトディテクタ（以下ＰＤと略す）６に集光する。このモニタＰＤ６に入射された光ビームは電気信号に変換される。したがってモニタＰＤ６の出力は半導体レーザ１から出射された光ビームの光量をモニタする電気信号となる。マイコン２５はモニタＰＤ６の出力に基づいて半導体レーザ１が所定の光量を出力するように光量制御信号を出力する。マイコン２５から出力された光量制御信号は半導体レーザ駆動部２０に入力され、半導体レーザは所定の光量を出力するように制御される。
【００２５】
ＰＢＳ４を透過したビームは、λ／４板７を介してコリメートレンズ８で平行光束とされ、ミラー９により１ミラー９で１００％反射され、対物レンズ１０に入射され、光ディスク１１上に収束照射される。
【００２６】
光ディスク１１で反射されたビームは、対物レンズ１０で集光され、コリメートレンズ８、λ／４板７を介してＰＢＳ４で反射させられ、センサーレンズ１２によりＲＦサーボＰＤ１３上に集光させられる。ＲＦサーボＰＤ１３に入射された光ビームは電気信号に変換され反射率検出部１４とＦＥ信号生成部１６とＴＥ信号生成部１８と再生ジッター検出部１５に出力される。
【００２７】
ＦＥ信号生成部はＲＦサーボＰＤ１３からの信号に基づいて、例えば非点収差法により光ディスク１１上に収束された光ビームのフォーカス状態を示すＦＥ信号を生成し、フォーカス制御部１７へ出力する。フォーカス制御部１７に入力されたＦＥ信号は、例えばＤＳＰによるディジタルフィルタで構成された位相補償回路、低域補償回路を通過して、フォーカス駆動信号としてフォーカス駆動部２６へ出力される。フォーカス駆動部２６へ入力されたフォーカス駆動信号は、増幅されてフォーカスアクチュエータ２４に出力される。従って、光ディスク１１上に収束照射された光ビームのフォーカス状態が常に所定のフォーカス状態になるように、対物レンズ１０の位置が対物レンズ１０の光軸方向に制御される。
【００２８】
またＴＥ信号生成部１８は、ＲＦサーボＰＤ１３からの信号に基づいて、例えばディファレンシャルプッシュプル法により光ビームの照射位置を示すＴＥ信号を生成し、トラッキング制御部１９へ出力する。トラッキング制御部１９に入力されたＴＥ信号は、例えばＤＳＰによるディジタルフィルタで構成された位相補償回路、低域補償回路を通過して、トラッキング駆動信号としてトラッキング駆動部２７へ出力される。トラッキング駆動部２７に入力されたトラッキング駆動信号は、増幅されてトラッキングアクチュエータ２３に出力される。従って、光ディスク１１上に収束照射された光ビームが光ディスク１１上の所望のトラックに照射されるように、対物レンズ１０の位置が光ディスク１１の半径方向に制御される。
【００２９】
また再生ジッター検出部１５は、ＲＦサーボＰＤ１３からの信号に基づいて、再生信号のジッタを検出し、マイコン２５に出力する。また反射率検出部１４は、ＲＦサーボＰＤ１３からの全出力信号に基づいて、光ディスク１１の種類を判別し、判別の結果に応じた信号をマイコン２５に出力する。マイコン２５は、反射率検出部１４から出力された信号に基づいて、光ディスク１１が単層ディスクであるか２層ディスクであるかを判別し、光学素子駆動部２１に光学素子駆動信号を出力する。なお、判別方法については後で詳細を述べる。光学素子駆動部２１に入力された光学素子駆動信号は、増幅された後に光学素子駆動源２２に送られ、光学素子駆動源２２は光路に設けられた光ビーム減衰光学素子２を回転させる。
【００３０】
ここで、マイコン２５による光ディスク１１の判別方法について説明する。まず、光ディスク１１の種類、即ち単層ディスクと２層ディスクについて説明する。単層ディスクは１層の記録層を持つ光ディスクであり、２層ディスクは、対物レンズに近い第１の記録層（以降、Ｌ０層と称す）と、Ｌ０層に比べ対物レンズから遠い第２の記録層（以降、Ｌ１層と称す）、即ち２層の記録層を持つ光ディスクである。２層ディスクのＬ１層は、Ｌ０層を透過した光ビームでデータの記録再生が行われる。
【００３１】
本実施例においては、単層ディスクでは再生時の照射パワー（以降、再生パワーと称す）を０．３ｍＷ、記録時の照射パワー（以降、記録パワーと称す）を６ｍＷとし、２層ディスクでは再生パワーを０．６ｍＷ、記録パワーを１２ｍＷと設定した。１層ディスクに対して２層ディスクの再生および記録パワーが２倍となっているのは、２層ディスクの記録層のうちＬ０層の透過率を約５０％と設定したためである。
【００３２】
次に、マイコン２５により光ディスク１１が単層ディスクであるか２層ディスクであるか判別する方法について説明する。予めマイコン２５により、半導体レーザ１の出力パワーは１．５ｍＷに制御され、光ビーム減衰光学素子２は光路中にないか、あるいは透過率１００％の状態にあるとする。この設定の場合、対物レンズ１０における照射パワーは約０．３ｍＷであり、これは光ディスク１０が単層ディスクであった場合の再生許容照射パワーは０．３ｍＷ以下となるので、光ディスク１０が単層ディスクもしくは２層ディスクであっても記録層の劣化やデータの消去を引き起こすことはない。
【００３３】
以上の設定の元で、前記したように収束照射される光ビームを光ディスク１０のトラックに追従させ、光ディスク１０からの反射光をＲＦサーボＰＤ１３で受光する。前記したようにＲＦサーボＰＤ１３では入射された光ビームを電気信号に変換し、反射率検出部１４に信号を出力する。反射率検出部１４では、ＲＦサーボＰＤ１３からの全出力信号出力電圧と、予め設定された基準電圧とをコンパレータ（図示せず）で比較することで光ディスク１０の種類に対応した信号をマイコン２５に出力する。
【００３４】
ここで基準電圧は、光ディスク１０が単層ディスクであった場合の反射光で得られるＲＦサーボＰＤ１３の信号出力電圧と、光ディスク１０が２層ディスクであった場合に得られる信号出力電圧の中間値に設定されている。従って、ＲＦサーボＰＤ１３からの信号出力電圧と基準電圧をコンパレータで比較することで、光ディスク１０が単層ディスクの場合はＨｉｇｈレベルの信号出力が得られ、光ディスク１０が２層ディスクの場合はＬｏｗレベルの信号出力が得られる。つまりマイコン２５は、反射率検出部１４から出力された信号がＨｉｇｈレベルかＬｏｗレベルであるかを判断することで、光ディスク１０が単層ディスクか２層ディスクであるかを判別できる。
【００３５】
以上のような構成にすることで、光ディスク１０が単層ディスクであるか２層ディスクであるかの判別の後、単層ディスクである場合にのみ光ビーム減衰光学素子２を回転させ、光路中に透過率５０％の状態を作り、光源からの透過率を約半分に低減することができる。従って、単層ディスク、２層ディスク共に、再生時は光源の出力パワーを量子化雑音が十分低くなる高パワーにしつつ、照射パワーを記録層の劣化やデータの消去が起きない低パワーにすることができる。
【００３６】
さらに、１層ディスクの記録時は、光源の出力パワーは量子化雑音が十分低くなる高パワーに設定されているので、２層ディスクの場合と同様に光ビーム減衰光学素子２を回転させ、光路中の透過率を１００％の状態にすることで、量子化雑音が低い状態で記録が可能となる。
【００３７】
次に、光ビーム減衰光学素子２の構成について図２を用いて詳細に説明する。図２は光ビーム減衰光学素子２の構成とその動作による透過率変化を示す模式図である。光ビーム減衰光学素子２は円形をしており透過率５０％の部分と透過率１００％の部分が９０度毎に交互に配置されている。（ａ）は、透過率１００％の部分を光路中に配置した場合、（ｂ）は透過率５０％の部分を光路中に配置した構成の模式図である。光学素子駆動源２２は回転型のアクチュエータで回転軸を入射する光ビームと平行に持つ。光ビーム減衰光学素子２は、光学素子駆動源２２に直接取り付けられ、光学素子駆動源２２の回転軸を中心に光学素子駆動部２１に入力された光学素子駆動信号に応じて回転する。光ビーム減衰光学素子２は薄い円盤であり、その重心は回転軸と一致している。このように構成することにより、光ピックアップ装置に振動や衝撃、特に光ビームに垂直な方向に外力が加わった場合、光ビーム減衰光学素子には、回転モーメントが発生せず、所定の位置から回転してしまうことが無い。
【００３８】
さらに、光学素子駆動源２２は図示しない回転子を自己保持可能なアクチュエータで、本発明では９０°ごとに回転子、すなわち光ビーム減衰光学素子２の位置を保持することが可能である。そのように構成することにより、光ビーム減衰光学素子２を所定の位置に保持する機構が不要となる。
【００３９】
尚、自己保持可能なアクチュエータとは、例えば、１相のステッピングモータのようにパルス駆動することにより、回転型のアクチュエータのマグネットの磁極によって生じるコギングトルクを発生させ、磁力によって、所定の回転位置で保持を可能にしたものである。
【００４０】
（実施例２）
次に第２の実施例について図３を用いて説明する。図３では光ビーム減衰光学素子２８は第１の実施例同様に光学素子駆動源２２の回転軸に直接取り付けられており、回転軸を中心に細長い対称形状している。透過率は全体が５０％で一定である。（ａ）の場合は、光路中には、光ビーム減衰光学素子２８が侵入しておらず、透過率は１００％の状態である。（ｂ）は（ａ）の状態から、光学素子駆動信号を受けて、光ビーム減衰光学素子２８が回転し、光路中に侵入した状態であり、透過率は５０％の状態になる。第一の実施例同様、光学素子駆動源はその回転軸を光ビームの光軸と平行に備えており、また光ビーム減衰光学素子２８は細長い形状をしている為、光ピックアップ装置の厚さ方向を薄くすることが可能になる。
【００４１】
（実施例３）
さらに第３の実施例について図４を用いて説明する。図４では光学素子駆動源２２の回転軸には光学素子駆動部材３０が回転可能に直接取り付けられており、それの一端は光ビーム減衰光学素子２９と係合し、光学素子駆動源２２の動力を光ビーム減衰光学素子２９に伝達する。光ビーム減衰光学素子２９は、光源などの光学素子を保持する光学ベースに固定された支軸３１に回転可能に支持されている。光ビーム減衰光学素子２９の重心は支軸３１に略一致するように設計されている。光学素子駆動部材３０も光学素子駆動源２２の回転軸に重心が略一致するように設計されており、第１の実施例、第２の実施例と同じく、衝撃が加わっても回転モーメントが発生することがない。本実施例の場合、光ビーム減衰光学素子２９が光学素子駆動源２２に直接取り付けられていないので、光ピックアップ上で設計の自由度が増加する。
【００４２】
なお、実施例１乃至３において、光ビーム減衰光学素子は光源から対物レンズまで光路中のどこの位置に配置されていても良い。
【００４３】
また、実施例１乃至３において、光ビーム減衰光学素子を、球面収差補正素子に置き換えても、振動に対して耐衝撃性に優れた構成とすることができる。
【００４４】
また、実施例１乃至３において、光ビーム減衰光学素子を透過率の異なった複数の領域に分割にすることにより、記録層を２以上有する多層ディスクにも対応することもできる。
【００４５】
更に、実施例１乃至３において、２以上の光ビーム減衰光学素子を光ビームの方向と平行に配置させ、各々の光ビーム減衰光学素子の回転角度を変えることにより、複数の透過率に変化させることができ、多層ディスクにおける各層に適した光ビームを照射することもできる。
【００４６】
また、本発明は上述の説明した実施例に限定されるものではなく、本発明の精神を逸脱することなく種々の変形が可能とされるものである。
【図面の簡単な説明】
【００４７】
【図１】本発明の実施例１の光ピックアップ装置のブロック図である。
【図２】実施例１における光ビーム減衰光学素子の構成を示す図である。
【図３】本発明の実施例２の光ビーム減衰光学素子の構成を示す図である。
【図４】本発明の実施例３の光ビーム減衰光学素子の構成を示す図である。
【図５】従来例の光ディスク装置のブロック図である。
【図６】図５における光ビーム減衰光学素子の構成とその動作による透過率変化を示す模式図。
【符号の説明】
【００４８】
１  半導体レーザ
２  光ビーム減衰光学素子
４  ＰＢＳ
５  集光レンズ
１０  対物レンズ
１１  光ディスク
１２  センサーレンズ
１４  反射率検出部
２１  光学素子駆動部
２２  光学素子駆動源
２８  第２の実施例における光ビーム減衰光学素子
２９  第３の実施例における光ビーム減衰光学素子
３０  光学減衰素子駆動部材
【図１】
2006338841.tif 000003
【図２】
2006338841.tif 000004
【図３】
2006338841.tif 000005
【図４】
2006338841.tif 000006
【図５】
2006338841.tif 000007
【図６】
2006338841.tif 000008